(57)【要約】【課題】放送受信装置において、コストアップを伴うことなく、速やかに多指向性アンテナの受信方向を設定する。【解決手段】バックエンドＩＣ９は、各チャンネルごとにスマートアンテナ５０の受信方向を自動的にプリセットする際に、スマートアンテナ５０の受信方向を変更しながらチューナ回路２の受信電界強度をモニタする。チューナ回路２の受信電界強度が第１閾値よりも大きいとき、バックエンドＩＣ９は、チューナ回路２より入力されたＩＦ信号をＣＶＢＳ信号に変換させて、Ｙ／Ｃ分離回路４によって色差信号のみを分離させる。さらに、バックエンドＩＣ９は、色差信号のＤＣレベルが第２閾値よりも大きいとき、スマートアンテナ５０の受信方向をメモリ６に記憶させる。これにより、デジタル信号処理によることなく、アナログ信号から色差信号の有無を判断し、スマートアンテナ５０の受信方向が設定可能とされる。【選択図】図１
2006270736.tif 000002
【特許請求の範囲】
【請求項１】
複数の受信方向を有する多指向性アンテナが接続されて、前記複数の受信方向のうち、いずれか１の受信方向のみを有効にして放送信号を受信する放送受信装置であって、
前記多指向性アンテナが接続され、該多指向性アンテナを介してＲＦ信号を受信してＩＦ信号に変換して出力するチューナ回路と、このチューナ回路より入力されたＩＦ信号をＣＶＢＳ信号に変換して出力する信号変換手段と、この信号変換手段より入力されたＣＶＢＳ信号を輝度信号と色差信号に分離して、該色差信号のみを出力するＹ／Ｃ分離手段と、このＹ／Ｃ分離手段より入力された色差信号を平滑化してＤＣレベル信号に変換して出力するＤＣレベル変換手段と、前記多指向性アンテナの各チャンネルごとの受信方向を記憶する記憶手段と、前記多指向性アンテナの受信方向を制御するためのアンテナ制御手段と、上記各部を制御するための中央制御手段とを備え、
前記中央制御手段は、
各チャンネルごとに前記多指向性アンテナの受信方向を自動的にプリセットする際に、  前記多指向性アンテナの受信方向を変更しながら、前記チューナ回路の受信電界強度をモニタして、
前記チューナ回路の受信電界強度が第１閾値よりも大きいとき、前記チューナ回路にＲＦ信号をＩＦ信号に変換させて出力させ、前記信号変換手段に前記チューナ回路より入力されたＩＦ信号をＣＶＢＳ信号に変換させて出力させ、前記Ｙ／Ｃ分離手段に前記信号変換手段より入力されたＣＶＢＳ信号から色差信号のみを分離させて出力させ、前記ＤＣレベル変換手段に前記Ｙ／Ｃ分離手段より入力された色差信号をＤＣレベル信号に変換させて出力させ、前記ＤＣレベル変換手段より入力された色差信号のＤＣレベル信号が第２閾値よりも大きいとき、前記多指向性アンテナの受信方向を前記記憶手段に記憶させ、一方、前記ＤＣレベル信号が前記第２閾値よりも大きくないとき、前記多指向性アンテナの受信方向を前記記憶手段に記憶させないで、
これにより、ＣＶＢＳ信号をデジタル信号に変換してデジタル信号処理によって色差信号の有無を判断することなく、アナログ信号から色差信号の有無を判断して前記多指向性アンテナの受信方向を設定できるようにして、前記デジタル信号処理に用いられるメモリを不要としたことを特徴とする放送受信装置。
【請求項２】
複数の受信方向を有する多指向性アンテナが接続されて、前記複数の受信方向のうち、いずれか１の受信方向のみを有効にして放送信号を受信する放送受信装置であって、
前記多指向性アンテナが接続され、該多指向性アンテナを介して放送信号を受信して出力するチューナ回路と、このチューナ回路より入力された放送信号をＣＶＢＳ信号に変換して出力する信号変換手段と、この信号変換手段より入力されたＣＶＢＳ信号を輝度信号と色差信号に分離して、該色差信号のみを出力するＹ／Ｃ分離手段と、このＹ／Ｃ分離手段より入力された色差信号を平滑化してＤＣレベル信号に変換して出力するＤＣレベル変換手段と、前記多指向性アンテナの各チャンネルごとの受信方向を記憶する記憶手段と、上記各部を制御するための中央制御手段とを備え、
前記中央制御手段は、
各チャンネルごとに前記多指向性アンテナの受信方向を自動的にプリセットする際に、  前記多指向性アンテナの受信方向を変更しながら、前記チューナ回路の受信電界強度をモニタして、
前記チューナ回路の受信電界強度が第１閾値よりも大きく、かつ前記ＤＣレベル変換手段より入力された色差信号のＤＣレベル信号が第２閾値よりも大きいとき、前記多指向性アンテナの受信方向を前記記憶手段に記憶させ、一方、前記ＤＣレベル信号が前記第２閾値よりも大きくないとき、前記多指向性アンテナの受信方向を前記記憶手段に記憶させないで、
これにより、ＣＶＢＳ信号をデジタル信号に変換してデジタル信号処理によって色差信号の有無を判断することなく、アナログ信号から色差信号の有無を判断して前記多指向性アンテナの受信方向を設定できるようにして、前記デジタル信号処理に用いられるメモリを不要としたことを特徴とする放送受信装置。
【発明の詳細な説明】
【技術分野】
【０００１】
本発明は、複数の受信方向を有する多指向性アンテナが接続される放送受信装置に関するものである。
【背景技術】
【０００２】
従来から、複数の受信方向を有し、放送送信塔の方向に応じて受信方向を変更可能な多指向性アンテナ（以下、スマートアンテナと称する）が実用化され、特に北米地域において普及しつつある。スマートアンテナには、モータの駆動によりアンテナを回転させる方式と、複数本のロッドアンテナのうち、放送送信塔の方向に向けられたロッドアンテナのみを電子スイッチによって有効にする方式がある。特許文献１には、後者のスマートアンテナの一例が開示されている。このような特許文献１に示されているスマートアンテナ５０においては、図３に示すように、放送送信塔１００の方向Ａとは１８０゜反対の方向Ｂからも放送送信塔１００の方向Ａと同等の電界強度で放送信号を受信することができる。ところが、通常、色差信号は輝度信号よりも高周波域を用いて配信されているところ、ロッドアンテナの指向特性は周波数に依存することが知られている。従って、放送送信塔１００の方向Ａからは、正常な輝度信号及び色差信号が受信できるのに対して、放送送信塔１００とは１８０゜反対の方向Ｂからは、高周波の色差信号が正常に受信できないことがある。従って、放送受信装置がスマートアンテナ５０の受信方向を正しく設定するためには、受信した放送信号の中に色差信号が含まれているか否かを判別する必要がある。
【特許文献１】特開２００４−１７３０６２号公報
【発明の開示】
【発明が解決しようとする課題】
【０００３】
ところで、現在のテレビジョン放送は、ＮＴＳＣ（National Television Systems Committee）規格等に準拠されたアナログ放送からＡＴＳＣ（Advanced Television Systems Committee）等の規格に準拠されたデジタル放送に移行する過渡期にある。そのため、テレビジョン放送を受信するためのアンテナ及び放送受信装置も両方の放送に対応するように構成されていることが望ましいとされている。
【０００４】
既に述べたように、放送受信装置は、スマートアンテナの受信方向を正しく設定するために、受信した放送信号の中に色差信号が含まれているか否かを判別しなければならない。そこで、放送受信装置は、ＮＴＳＣのアナログ放送を受信した場合にも、そのアナログ信号をデジタル信号に変換した後、デジタル信号処理によって色差信号の有無を判別している。このようなデジタル信号処理による色差信号の有無の判別は、複雑な演算処理を伴うため、大容量のメモリを必要とし、放送受信装置のコストアップを招来する。また、通常の放送受信装置の中央制御部として使用されている素子は、比較的、演算処理能力に乏しいことから、上述した複雑なデジタル信号処理を行うには相応の時間を必要としている。そのため、スマートアンテナの受信方向の設定に時間が掛かり、ユーザに不満を与える結果となる。
【０００５】
本発明は、上記課題を解決するためになされたものであり、コストアップを伴うことなく、速やかに多指向性アンテナの受信方向を設定することができる放送受信装置を提供することを目的とする。
【課題を解決するための手段】
【０００６】
上記目的を達成するために請求項１の発明は、複数の受信方向を有する多指向性アンテナが接続されて、複数の受信方向のうち、いずれか１の受信方向のみを有効にして放送信号を受信する放送受信装置であって、多指向性アンテナが接続され、該多指向性アンテナを介してＲＦ信号を受信してＩＦ信号に変換して出力するチューナ回路と、このチューナ回路より入力されたＩＦ信号をＣＶＢＳ信号に変換して出力する信号変換手段と、この信号変換手段より入力されたＣＶＢＳ信号を輝度信号と色差信号に分離して、該色差信号のみを出力するＹ／Ｃ分離手段と、このＹ／Ｃ分離手段より入力された色差信号を平滑化してＤＣレベル信号に変換して出力するＤＣレベル変換手段と、多指向性アンテナの各チャンネルごとの受信方向を記憶する記憶手段と、多指向性アンテナの受信方向を制御するためのアンテナ制御手段と、上記各部を制御するための中央制御手段とを備え、中央制御手段は、各チャンネルごとに多指向性アンテナの受信方向を自動的にプリセットする際に、多指向性アンテナの受信方向を変更しながら、チューナ回路の受信電界強度をモニタして、チューナ回路の受信電界強度が第１閾値よりも大きいとき、チューナ回路にＲＦ信号をＩＦ信号に変換させて出力させ、信号変換手段にチューナ回路より入力されたＩＦ信号をＣＶＢＳ信号に変換させて出力させ、Ｙ／Ｃ分離手段に信号変換手段より入力されたＣＶＢＳ信号から色差信号のみを分離させて出力させ、ＤＣレベル変換手段にＹ／Ｃ分離手段より入力された色差信号をＤＣレベル信号に変換させて出力させ、ＤＣレベル変換手段より入力された色差信号のＤＣレベル信号が第２閾値よりも大きいとき、多指向性アンテナの受信方向を記憶手段に記憶させ、一方、ＤＣレベル信号が第２閾値よりも大きくないとき、多指向性アンテナの受信方向を記憶手段に記憶させないで、これにより、ＣＶＢＳ信号をデジタル信号に変換してデジタル信号処理によって色差信号の有無を判断することなく、アナログ信号から色差信号の有無を判断して多指向性アンテナの受信方向を設定できるようにして、デジタル信号処理に用いられるメモリを不要としたものである。
【０００７】
請求項２の発明は、複数の受信方向を有する多指向性アンテナが接続されて、複数の受信方向のうち、いずれか１の受信方向のみを有効にして放送信号を受信する放送受信装置であって、多指向性アンテナが接続され、該多指向性アンテナを介して放送信号を受信して出力するチューナ回路と、このチューナ回路より入力された放送信号をＣＶＢＳ信号に変換して出力する信号変換手段と、この信号変換手段より入力されたＣＶＢＳ信号を輝度信号と色差信号に分離して、該色差信号のみを出力するＹ／Ｃ分離手段と、このＹ／Ｃ分離手段より入力された色差信号を平滑化してＤＣレベル信号に変換して出力するＤＣレベル変換手段と、多指向性アンテナの各チャンネルごとの受信方向を記憶する記憶手段と、上記各部を制御するための中央制御手段とを備え、中央制御手段は、各チャンネルごとに多指向性アンテナの受信方向を自動的にプリセットする際に、多指向性アンテナの受信方向を変更しながら、チューナ回路の受信電界強度をモニタして、チューナ回路の受信電界強度が第１閾値よりも大きく、かつＤＣレベル変換手段より入力された色差信号のＤＣレベル信号が第２閾値よりも大きいとき、多指向性アンテナの受信方向を記憶手段に記憶させ、一方、ＤＣレベル信号が第２閾値よりも大きくないとき、多指向性アンテナの受信方向を記憶手段に記憶させないで、これにより、ＣＶＢＳ信号をデジタル信号に変換してデジタル信号処理によって色差信号の有無を判断することなく、アナログ信号から色差信号の有無を判断して多指向性アンテナの受信方向を設定できるようにして、デジタル信号処理に用いられるメモリを不要としたものである。
【発明の効果】
【０００８】
請求項１の発明によれば、中央制御手段は、チューナ回路の受信電界強度が第１閾値よりも大きく、かつＤＣレベル変換手段より入力された色差信号のＤＣレベル信号が第２閾値よりも大きいとき、多指向性アンテナの受信方向を記憶手段に記憶させ、ＤＣレベル信号が第２閾値よりも大きくないとき、多指向性アンテナの受信方向を記憶手段に記憶させない。これにより、ＣＶＢＳ信号をデジタル信号に変換してデジタル信号処理を行うことなく、アナログ信号から色差信号の有無を判断できる。従って、複雑なデジタル信号処理に不可欠な大容量のメモリを不要とすることができ、放送受信装置のコストダウンを図ることができる。また、複雑なデジタル信号処理を実行する必要がないので、速やかに多指向性アンテナの受信方向を設定することができ、ユーザに不満を与えることもない。また、中央制御手段は、Ｙ／Ｃ分離手段にＣＶＢＳ信号から色差信号のみを分離させて出力させ、ＤＣレベル変換手段に色差信号をＤＣレベル信号に変換させて出力させて、そのＤＣレベル信号を第２閾値と比較することによって色差信号の有無を判別する。これにより、色差信号の有無を正確に判別し、多指向性アンテナの受信方向を正確に設定することができる。  
【０００９】
請求項２の発明によれば、中央制御手段は、チューナ回路の受信電界強度が第１閾値よりも大きく、かつＤＣレベル変換手段より入力された色差信号のＤＣレベル信号が第２閾値よりも大きいとき、多指向性アンテナの受信方向を記憶手段に記憶させ、ＤＣレベル信号が第２閾値よりも大きくないとき、多指向性アンテナの受信方向を記憶手段に記憶させない。これにより、ＣＶＢＳ信号をデジタル信号に変換してデジタル信号処理を行うことなく、アナログ信号から色差信号の有無を判断できる。従って複雑なデジタル信号処理に用いられるメモリを不要とすることができ、放送受信装置のコストダウンを図ることができる。また、複雑なデジタル信号処理を実行する必要がないので、速やかに多指向性アンテナの受信方向を設定することができ、ユーザに不満を与えることもない。
【発明を実施するための最良の形態】
【００１０】
本発明の一実施形態による放送受信装置について図面を参照して説明する。図１は複数の受信方向を有するスマートアンテナが接続される放送受信装置を示している。放送受信装置１は、スマートアンテナ５０の複数の受信方向のうち、いずれか１の受信方向のみを有効にして放送信号を受信する装置であって、スマートアンテナ５０が接続され、放送信号を受信するチューナ回路２と、チューナ回路２より入力された放送信号をＣＶＢＳ信号（コンポジットビデオ信号）に変換する信号変換回路（信号変換手段）３と、信号変換回路３より入力されたＣＶＢＳ信号を輝度信号と色差信号に分離するＹ／Ｃ分離回路（Ｙ／Ｃ分離手段）４と、Ｙ／Ｃ分離回路４より入力された色差信号をＤＣレベル信号に変換するＤＣレベル変換回路（ＤＣレベル変換手段）５と、スマートアンテナ５０の受信方向を記憶するメモリ（記憶手段）６と、スマートアンテナ５０の受信方向を制御するためのアンテナ制御回路（アンテナ制御手段）７と、信号変換回路３より入力されたＣＶＢＳ信号をＣＣＩＲ（International Radio Consultative Committee）６５６信号に変換するＡ／Ｄコンバータ８と、上記各部を制御するためのバックエンドＩＣ（中央制御手段）９等を備えている。
【００１１】
チューナ回路２は、スマートアンテナ５０を介してＲＦ信号を受信してＩＦ信号に変換して信号変換回路３に出力する。信号変換回路３は、チューナ回路２より入力されたＩＦ信号をＣＶＢＳ信号に変換してＡ／Ｄコンバータ８等に出力する。Ｙ／Ｃ分離回路４は、信号変換回路３より入力されたＣＶＢＳ信号を輝度信号と色差信号に分離して、色差信号のみをＤＣレベル変換回路５に出力する。ＤＣレベル変換回路５は、Ｙ／Ｃ分離回路４より入力された色差信号を平滑化してＤＣレベル信号に変換してバックエンドＩＣ９に出力する。メモリ６は、各チャンネルごとにスマートアンテナ５０の最適な受信方向を記憶する。
【００１２】
スマートアンテナ５０の最適な受信方向は、例えば、放送受信装置１が設置されたときなどに、ユーザがチャンネルごとの受信方向を自動的にプリセットさせる「オートプリセット」指令を放送受信装置１に入力することによって、全チャンネルについて設定され、メモリ６に記憶される。ユーザがテレビジョン放送を受信している最中にチャンネルを変更すると、バックエンドＩＣ９は、メモリ６に記憶させている該当するチャンネルについてのスマートアンテナ５０の最適な受信方向を読み出して、その受信方向に関する信号をアンテナ制御回路７に送信してスマートアンテナ５０の受信方向を変更する。
【００１３】
次に、ユーザによって放送受信装置１に「オートプリセット」指令が入力されたときの放送受信装置１の動作について、図２を参照して説明する。ユーザによって「オートプリセット」指令が入力されると、まず、バックエンドＩＣ９は、チューナ回路２の受信周波数を最初のチャンネルに合わせ（＃１）、スマートアンテナ５０の受信方向を変更しながらチューナ回路２の受信電界強度をモニタする（＃２）。図３において、スマートアンテナ５０の受信方向が方向Ａ又は方向Ｂに向いているとき、チューナ回路２の受信電界強度は、所定の第１閾値よりも大きくなる。受信電界強度が第１閾値よりも大きい場合（＃３においてＹＥＳ）、バックエンドＩＣ９は、チューナ回路２に受信したＲＦ信号をＩＦ信号に変換させ（＃４）、信号変換回路３に該ＩＦ信号をＣＶＢＳ信号に変換させ（＃５）、Ｙ／Ｃ分離回路４に該ＣＶＢＳ信号から輝度信号と色差信号を分離させ（＃６）、分離した色差信号のみを抽出させて、ＤＣレベル変換回路５に出力させる（＃７）。そして、ＤＣレベル変換回路５は、Ｙ／Ｃ分離回路４より入力された色差信号を平滑化し、それをＤＣレベル信号としてバックエンドＩＣ９に出力する（＃８）。
【００１４】
ここで、スマートアンテナ５０の受信方向が方向Ａに向いているとき、バックエンドＩＣ９に入力されるＤＣレベル信号は、第２閾値よりも大きくなり、スマートアンテナ５０の受信方向が方向Ｂに向いているとき、バックエンドＩＣ９に入力されるＤＣレベル信号は、第２閾値よりも小さくなる。従って、バックエンドＩＣ９は、ＤＣレベル信号と第２閾値とを比較することにより、スマートアンテナ５０の受信方向が放送送信塔の方向Ａに向けられているのか、放送送信塔１００の方向Ａとは１８０゜反対の方向Ｂに向けられているのかを判断することができる。色差信号のＤＣレベル信号が第２閾値よりも大きい場合（＃９においてＹＥＳ）、バックエンドＩＣ９は、そのときのスマートアンテナ５０の受信方向をメモリ６に記憶させる（＃１０）。そして、次のチャンネルが存在すれば（＃１１においてＹＥＳ）、＃１に戻って、バックエンドＩＣ９は、チューナ回路２の受信周波数を次のチャンネルに合わせ（＃１）、処理を続行する。一方、次のチャンネルが存在しなければ（＃１１においてＮＯ）、処理を終了する。なお、＃３において、受信電界強度が第１閾値よりも大きくない場合（＃３においてＮＯ）、及び＃９において色差信号のＤＣレベル信号が第２閾値よりも大きくない場合（＃９においてＮＯ）には、＃２に戻って最適な受信方向を検知して設定するための処理を続行する。
【００１５】
以上のように、本実施形態の放送受信装置１によれば、バックエンドＩＣ９は、チューナ回路２の受信電界強度が第１閾値よりも大きく、かつＤＣレベル変換回路５より入力された色差信号のＤＣレベル信号が第２閾値よりも大きいとき、スマートアンテナ５０の受信方向をメモリ６に記憶させ、ＤＣレベル信号が第２閾値よりも大きくないとき、スマートアンテナ５０の受信方向をメモリ６に記憶させない。これにより、ＣＶＢＳ信号をデジタル信号に変換してデジタル信号処理によって色差信号の有無を判断することなく、アナログ信号から色差信号の有無を判断できる。従って、複雑なデジタル信号処理に用いられるメモリを不要とすることができ、放送受信装置のコストダウンを図ることができる。また、複雑なデジタル信号処理を実行する必要がないので、速やかにスマートアンテナ５０の受信方向を設定することができ、ユーザに不満を与えることもない。また、バックエンドＩＣ９は、Ｙ／Ｃ分離回路４にＣＶＢＳ信号から色差信号のみを分離させて出力させ、ＤＣレベル変換回路５に色差信号をＤＣレベル信号に変換させて出力させて、そのＤＣレベル信号を第２閾値と比較することによって色差信号の有無を判別する。これにより、色差信号の有無を正確に判別し、スマートアンテナ５０の受信方向を正確に設定することができる。
【００１６】
なお、本発明は上記実施形態の構成に限られることなく、少なくともスマートアンテナ５０の受信角度を変更しながらチューナ回路２が受信した放送信号から色差信号のみを抽出し、そのＤＣレベルによってスマートアンテナ５０の受信角度を設定するように構成されていればよい。
【図面の簡単な説明】
【００１７】
【図１】本発明の一実施形態による放送受信装置の構成を示すブロック図。
【図２】同装置のアンテナ受信方向を自動的に設定する「オートプリセット」動作の手順を示すフローチャート。
【図３】放送送信塔から送信された放送信号をスマートアンテナによって受信している様子を示す図。
【符号の説明】
【００１８】
１    放送受信装置
２    チューナ回路
３    信号変換回路（信号変換手段）
４    Ｙ／Ｃ分離回路（Ｙ／Ｃ分離手段）
５    ＤＣレベル変換回路（ＤＣレベル変換手段）
６    メモリ（記憶手段）
７    アンテナ制御回路（アンテナ制御手段）
９    バックエンドＩＣ（中央制御手段）
５０    スマートアンテナ
【図１】
2006270736.tif 000003
【図２】
2006270736.tif 000004
【図３】
2006270736.tif 000005